(57)【要約】【課題】  インターロック機構の更なる信頼性の向上を図ることである。【解決手段】  本発本発明に係る電気回路装置は、電気回路部品を収納する筐体と、前記筐体に取り付けられかつ第１抵抗を有するカバーと、前記筐体に前記カバーが取り付けられた状態では前記第１抵抗と並列に接続されかつ所定電圧から分圧する第２抵抗と、前記第１抵抗及び前記第２抵抗の導通状態また非導通状態に基いて前記カバーの取り付け状態を検知するインターロック回路と、を備える。【選択図】  図１
2018113788.tif 000002
【特許請求の範囲】
【請求項１】
電気回路部品を収納する筐体と、
前記筐体に取り付けられかつ第１抵抗を有するカバーと、
前記筐体に前記カバーが取り付けられた状態では前記第１抵抗と並列に接続されかつ所定電圧から分圧する第２抵抗と、
前記第１抵抗及び前記第２抵抗の導通状態また非導通状態に基いて前記カバーの取り付け状態を検知するインターロック回路と、を備える電気回路装置。
【請求項２】
請求項１に記載の電気回路装置であって、
前記第２抵抗と接続される第２配線を備え、
前記第１抵抗は、前記第２配線とは異なる材料でありかつ高抵抗を有する第１配線により構成される電気回路装置。
【発明の詳細な説明】
【技術分野】
【０００１】
本発明は、電気回路装置に関し、特に電力変換装置に用いられる電気回路装置に関するものである。
【背景技術】
【０００２】
特許文献１には、導電線６−１、６−２に接続される接続端子７−１、７−２を備えるインターロック判定部材２と、接続端子９−１、９−２、１１−１、１１−２と、一方端が接続端子９−１に接続され他方端が接続端子１１−１に接続される導電線１３−１と、一方端が接続端子９−２に接続され他方端が接続端子１１−２に接続される導電線１３−２とを備えるインターロック判定部材３と、接続端子１４−１、１４−２と、接続端子１４−１、１４−２を互いに電気的に接続するための導電線１６とを備えるインターロック判定部材４と、導電線６−１、６−２に流れる電流に基づいて、カバー２１、２３が取り外されたことを判定するインターロック判定回路５と、を備えてインターロック機構１を備える技術が記載されている。
【０００３】
特許文献１には、接続端子７−１と接続端子７−２や、接続端子１１−１と接続端子１１−２の接続端子同士が短絡した場合に、カバーが外れているか装着されているかの判定が困難になるという課題がある。
【先行技術文献】
【特許文献】
【０００４】
【特許文献１】特開２００８−２０６３１６号公報
【発明の概要】
【発明が解決しようとする課題】
【０００５】
そこで本発明が解決しようとする課題は、インターロック機構の更なる信頼性の向上を図ることである。
【課題を解決するための手段】
【０００６】
本発明に係る電気回路装置は、電気回路部品を収納する筐体と、前記筐体に取り付けられかつ第１抵抗を有するカバーと、前記筐体に前記カバーが取り付けられた状態では前記第１抵抗と並列に接続されかつ所定電圧から分圧する第２抵抗と、前記第１抵抗及び前記第２抵抗の導通状態また非導通状態に基いて前記カバーの取り付け状態を検知するインターロック回路と、を備える。
【発明の効果】
【０００７】
本発明により、インターロック機構の更なる信頼性の向上させることができる。
【図面の簡単な説明】
【０００８】
【図１】本実施形態に係る電気回路装置１００の全体ブロック構成図である。
【図２】端子１０２−１と端子１０２−２の変形等により端子１０２−１と端子１０２−２が短絡故障している状態を表す全体ブロック構成図である。
【図３】インターロック回路１０６の実施例を示す全体ブロック構成図である。
【図４】図３の実施例に関する故障判定の一例の説明図である。
【図５】他の実施形態として、２つのカバーの着脱を判定するためのブロック構成図である。
【図６】図５の実施例に関する故障判定の一例の説明図である。
【発明を実施するための形態】
【０００９】
本発明に係る実施形態を図１から図６を用いて説明する。
【００１０】
図１は、本実施形態に係る電気回路装置１００の全体ブロック構成図である。
【００１１】
電気回路装置１００は、高電圧を扱う電気回路装置で、本実施例では電力変換装置とし、高電圧の直流または交流を変換もしくは整流する装置である。
【００１２】
電気回路部品１０１は、電気回路装置を駆動するための部品である。筐体１０２は、電気回路部品１０１を収納するための収納物である。
【００１３】
端子１０２−１及び端子１０２−２は筐体１０２の内部と外部を電気的に接続し、カバー１０３側の端子１０３−１及び端子１０３−２と接続される。カバー１０３は、  高電圧部位が露出しないように、筐体１０２に装着される。
【００１４】
端子１０３−１と端子１０３−２は、カバー１０３が装着されているかを電気的に判定するため、筐体側の端子１０２−１と端子１０２−２と接続される。
【００１５】
第１抵抗１０４は、カバー１０３の内部に存在する抵抗であり、カバー１０３にある端子１０３−１と端子１０３−２の間に直列に接続される。
【００１６】
インターロック回路１０６は、カバー１０３が装着されているか判定するための回路である。
【００１７】
第２抵抗１０５は、筐体１０２にある端子１０２−１と端子１０２−２の間に接続され、インターロック回路１０６と並列に接続される。これにより、インターロック回路１０６から見た抵抗値は、カバー１０３が装着されているときは第１抵抗１０４と第２抵抗１０５の合成抵抗値、カバー１０３が装着されていないときは第２抵抗１０５の抵抗値となる。
【００１８】
なお、第２抵抗１０５と接続される配線を備え、第１抵抗１０４は、この配線とは異なる材料でありかつ高抵抗を有する別の配線により構成されてもよい。これにより、第１抵抗１０４は抵抗素子として搭載する必要がなくなり、抵抗素子が外れるといった不具合が極めて少なくなる。
【００１９】
図２は、端子１０２−１と端子１０２−２の変形等により端子１０２−１と端子１０２−２が短絡故障している状態を表す全体ブロック構成図である。このときのインターロック回路１０６から見た抵抗値は、短絡しているのでほぼ０となる。
【００２０】
図３は、インターロック回路１０６の実施例を示す全体ブロック構成図である。図４は、図３の実施例に関する故障判定の一例の説明図である。
【００２１】
基準電圧電源２００は、インターロック回路１０６と、第１抵抗１０４、第２抵抗１０５に電流を流すための電圧電源である。第３抵抗２０１及び第４抵抗２０２は、基準電圧電源２００を分圧するための抵抗である。
【００２２】
ＣＰＵ２０３は、アナログ入力電圧値を取り込み、カバー１０３の状態または、接続端子の状態を判定する。
【００２３】
一例として、基準電圧電源２００を５Ｖ、第１抵抗１０４：第２抵抗１０５：第３抵抗２０１：第４抵抗２０２の比を５：２０：１：５と仮定する。ＣＰＵ２０３に入力される前記アナログ入力電圧値は、カバー１０３が装着されているときの標準値は２．５０Ｖ、カバー１０３が外れているときの標準値は０．９６Ｖである。端子１０２−１と端子１０２−２が短絡故障しているときの標準値は４．１７Ｖとなり、ＣＰＵ２０３で図４のように判定することができる。
【００２４】
図４のようにそれぞれの標準値の前後に余裕を持たせて判定することで、電気ノイズによるアナログ入力電圧値の変動や、抵抗値許容差や経年劣化による抵抗値のずれなどによるアナログ入力電圧値の変動による誤判定を極めて少なくすることができる。
【００２５】
図５は、他の実施形態として、２つのカバーの着脱を判定するためのブロック構成図である。図６は、図５の実施例に関する故障判定の一例の説明図である。
【００２６】
第２抵抗１０５に直列に第６抵抗１０９を接続し、第２抵抗１０５と同様に第６抵抗１０９の両端から端子１０２−３と端子１０２−４に配線を施す。ここに、カバー１０７を着脱できる構成とし、このカバー１０７は、第５抵抗１０８が内部に存在し、端子１０７−１と端子１０７−２の間に直列に接続される構成で、カバー１０３と同構成のものとする。
【００２７】
一例として、基準電圧電源２００を５Ｖ、第１抵抗１０４：第２抵抗１０５：第３抵抗２０１：第４抵抗２０２：第５抵抗１０８：第６抵抗１０９の比を５：２０：１：９：５：２０と仮定すると、ＣＰＵ２０３に入力される前記アナログ入力電圧値は、カバー１０３とカバー１０７が共に装着されているときの標準値は２．５０Ｖ、どちらか一方が異常、もしくは双方が異常のときには２Ｖ以下もしくは３Ｖ以上の電圧となり、ＣＰＵ２０３で図６のように判定することができる。
【００２８】
この構成を応用することで、複数のカバーの着脱をＣＰＵ２０３のひとつのアナログ入力ポートで判定することが可能になる。
【符号の説明】
【００２９】
１００…電気回路装置、１０１…電気回路部品、１０２…筐体、１０２−１…端子、１０２−２…端子、１０２−３…端子、１０２−４…端子、１０３…カバー、１０３−１…端子、１０３−２…端子、１０４…第１抵抗、１０５…第２抵抗、１０６…インターロック回路、１０７…カバー、１０７−１…端子、１０７−２…端子、１０８…第５抵抗、１０９…第６抵抗、２００…基準電圧電源、２０１…第３抵抗、２０２…第４抵抗、２０３…ＣＰＵ
【図１】
2018113788.tif 000003
【図２】
2018113788.tif 000004
【図３】
2018113788.tif 000005
【図４】
2018113788.tif 000006
【図５】
2018113788.tif 000007
【図６】
2018113788.tif 000008